【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
ポンプと接続するための流体容器の組立品であって、前記ポンプはハウジングと容器収納室とねじ付き円筒形容器収納室開口部と前記流体容器が前記容器収納室にあるときに流体容器の組立品に作用するピストンとを有し：
円筒形胴部を含む一部品の胴の組立品であって、前記円筒形胴部は胴直径を有し、また、第１開口端部および第２端部と、前記胴部の前記第２端部と一体化される雄ルアー継手とを有し、前記雄ルアー継手は切除された端部に開口部を有し、前記一部品の胴の組立品は前記胴部と一体化されるネック部を含み、前記ネック部は前記容器収納室開口部のねじと螺合する寸法のねじを含み、前記一部品の胴の組立品は流体シールして前記ポンプハウジングの前記容器収納室開口部に隣接して置かれる寸法の円筒形シール面を含み、前記円筒形シール面は前記ネック部と一体化される、一部品の胴の組立品と；
前記一部品の胴の組立品の前記開口端部に摺動可能に受け入れられる寸法のプランジャとを備える；
流体容器の組立品。
【請求項２】
人体に対し流体を皮下に注入するための組立品であって、
ポンプハウジングと、ねじを有する流体容器収納室開口部を含む流体容器の組立品の収納室と、駆動ピストンとを有するポンプと；
一部品の胴の組立品であって、一部品の胴の組立品は、胴直径を有する円筒形胴部を含み、第１開口端部および第２端部と前記胴部の前記第２端部と一体化される雄ルアー継手を有し、前記雄ルアー継手は切除された端部に開口部を有し、前記一部品の胴の組立品は前記胴部と一体化されるネック部を含み、前記ネック部は前記容器収納室開口部のねじと螺合する寸法のねじを含み、前記一部品の胴の組立品は、流体シールして前記ポンプハウジングの前記容器収納室開口部に隣接して置かれる寸法の円筒形シール面を含み、前記円筒形シール面は前記ネック部と一体化される、一部品の胴の組立品と、
前記一部品の胴の組立品の前記開口端部に摺動可能に受け入れられる寸法のプランジャとを含む
流体容器の組立品と；
前記流体容器の組立品の雄ルアー継手と接続するようになされた第１端部を含み、第２端部を有する導管と；
前記導管の第２端部に接続される薬剤注入セットであって、薬剤注入セットは前記容器から、接続されたルアー継手と導管を通って前記薬剤注入セット中へ、また、前記薬剤注入セットが接続された人の体内へ流体を送るために皮下に配置することができるカニューレを含む、薬剤注入セットとを備える；
組立品。
【請求項３】
前記円筒形胴部を前記ハウジングに着脱可能に固定する固定用組立品をさらに備える；
請求項１の流体容器の組立品。
【請求項４】
前記固定用組立品は、前記容器収納室開口部を画定する壁に接続する戻り止めを前記円筒形シール面の壁部に含む；
請求項３の流体容器の組立品。
【請求項５】
前記一部品の胴の組立品はタブをさらに含む；
請求項１の流体容器の組立品。
【請求項６】
前記プランジャはねじ付き内部を含む；
請求項１の流体容器の組立品。
【請求項７】
前記プランジャはＯリングを受け入れるようになされた；
請求項１の流体容器の組立品。
【請求項８】
ハンドルを有するロッドを含み、該ロッドはねじ部を有し、前記ロッドのねじ部は前記プランジャの前記ねじ付き内部と螺合可能である；
請求項６の流体容器の組立品。
【請求項９】
前記プランジャのねじ付き内部は平坦な切除された端部を含み、前記ロッドのねじ部は、前記プランジャのねじ付き内部の平坦な切除された端部に対し平坦に受けられるようになされた同様な寸法の平坦な切除された端部を含む；
請求項８の流体容器の組立品。
【請求項１０】
前記一部品の胴の組立品は壁部を有し、該壁部は通気口を画定し、該通気口は前記流体容器の組立品が前記一部品の胴の組立品に接続されたときに前記ハウジングの内部が通気されるように寸法決めされ前記一部品の胴の組立品上に配置され、前記円筒形シール面は流体シールして前記収納室開口部に隣接して気密に接合して配置される；
請求項１の流体容器の組立品。
【請求項１１】
前記通気口は水分を気体からろ過することができるフィルタ材で実質的に覆われ、気体がフィルタ材を通過できるようにする；
請求項１０の流体容器の組立品。
【請求項１２】
前記フィルタ材は疎水性である；
請求項１１の流体容器の組立品。
【請求項１３】
前記通気口は外面に壁部を有し、前記通気口は外面に隣接するフィルタ材で覆われる；
請求項１０の流体容器の組立品。
【請求項１４】
前記ルアー継手の切除された端部の開口部は、直径が０．００３インチ（０．０７６２ｍｍ）と０．０２０インチ（０．５０８０ｍｍ）の間である；
請求項１の流体容器の組立品。
【請求項１５】
前記胴部の直径は、前記ねじ付き円筒形容器収納室開口部の直径より小さい；
請求項１の流体容器の組立品。
【請求項１６】
前記ねじ付き円筒形容器収納室開口部は少なくとも１つのＯリングを含み、前記一部品の胴の組立品の円筒形シール面は前記少なくとも１つのＯリングに接触する寸法になされている；
請求項１の流体容器の組立品。
【請求項１７】
ポンプと接続する流体容器の組立品であって、該ポンプは容器収納室と、ハウジングと、ねじ付き円筒形容器収納室開口部と、前記容器収納室に配置されると前記流体容器の組立品に作用するピストンとを有し：
第１開口端部と第２端部とを有する円筒形胴部を含む胴の組立品と；
前記胴部の第２端部に配置される雄ルアー継手であって、切除された端部に開口部を有し、該開口部は直径が０．００３インチ（０．０７６２ｍｍ）と０．０２０インチ（０．５０８０ｍｍ）の間である、雄ルアー継手とを備える；
流体容器の組立品。
【請求項１８】
第１開口端部と、第２端部と一体化される雄ルアー継手とを有する胴部と；
ポンプハウジング開口部とシールして接続するシール面であって、ポンプハウジングの内部は前記シール面と一体化される通気口を通じて通気できるようになされ、前記通気口は壁部を有し、前記シール面と一体化される通気口は外壁を含み、前記通気口の外壁はフィルタ材を受容し、前記フィルタ材は前記ハウジングの内部に水分が含まれようにできる；
流体容器の組立品。
【請求項１９】
ポンプと接続する流体容器の組立品であって、該ポンプはハウジングと、容器収納室と、ねじ付き円筒形容器収納室開口部と、前記流体容器が前記容器収納室にあると前記流体容器の組立品に作用するピストンとを有し：
一部品の胴の組立品を備え、
該一部品の胴の組立品は、胴直径を有する円筒形胴部であって、第１の開口端部と第２端部と、前記円筒形胴部の第２端部と一体化される雄ルアー継手とを含み、該雄ルアー継手は切除された端部に開口部を有し、
前記一部品の胴の組立品は、前記胴部と一体化されるネック部を含み、該ネック部は前記容器収納室開口部のねじと螺合する寸法のねじを含み、
前記一部品の胴の組立品は、流体シールして前記ポンプハウジングの容器収納室開口部に隣接して置かれる寸法の円筒形シール面を含み、該円筒形シール面は前記ネック部と一体化され、
前記一部品の胴の組立品は、タブをさらに含み、
前記一部品の胴の組立品は、前記一部品の胴の組立品の開口端部に摺動可能に受け入れられる寸法のプランジャであって、該プランジャはねじ付き内部を含み、Ｏリングを受け入れるようになされたプランジャと；
固定用組立品であって、該固定用組立品は円筒形シール面の壁部に戻り止めを含み前記容器収納室開口部を画定する壁と接続する、固定用組立品と；
ハンドルを有するロッドであって、該ロッドはねじ部を備え、前記ロッドのねじ部は前記プランジャのねじ付き内部と接続できる、ロッドと；
通気口を画定する壁部であって、該壁部は、前記流体容器の組立品が接続され、前記円筒形シール面が流体シールして前記収納室開口部に隣接して気密に接続して置かれたときに前記ハウジングの内部が通気されるように寸法決めされて前記一部品の胴の組立品上に配置される、壁部とをさらに含み、
前記通気口は水分を気体からろ過し気体を通過させることができるフィルタ材で実質的に覆われ、前記フィルタ材は疎水性であり、前記ルアー継手の切除された端部の開口部は０．００３インチ（０．０７６２ｍｍ）と０．０２０インチ（０．５０８０ｍｍ）の間の直径であり、ねじ付き円筒形容器収納室は少なくとも１つのＯリングを含み、前記一部品の胴の組立品の円筒形シール面は前記少なくとも１つのＯリングに接触する寸法である；
流体容器の組立品。
【請求項２０】
前記通気口は外面に壁部を含み、前記通気口は外面に隣接するフィルタ材で覆われる；
請求項１９の流体容器の組立品。
【請求項２１】
患者にはめ込まれた薬剤注入セットを通して該患者にインスリンを提供するキットであって：
一部品の胴の組立品を含む流体容器の組立品であって、前記一部品の胴の組立品は胴直径を有し第１開口端部と第２端部と、前記胴部の第２端部と一体化される雄ルアー継手を有する円筒形胴部とを含み、前記雄ルアー継手は切除された端部に開口部を有し、前記一部品の胴の組立品は前記胴部と一体化されるネック部を含み、該ネック部は前記容器収納室開口部のねじと螺合する寸法のねじを含み、前記一部品の胴の組立品は流体シールして前記ポンプハウジングの容器収納室開口部に隣接して置かれる寸法の円筒形シール面であって、該円筒形シール面は前記ネック部と一体化される、円筒形シール面と、前記一部品の胴の組立品の開口端部に摺動可能に受け入れられる寸法のプランジャと、該プランジャに接続するロッドとを含む、一部品の胴の組立品と；
インスリンを内蔵する容器であって、シール隔膜を有する容器と；
雌ルアー継手と前記容器のシール隔膜を突き刺す寸法の針とを有する針の組立品と；
容器収納室と容器収納室開口部とを有するポンプであって、該容器収納室開口部はシール手段を有する、ポンプとを備える；
キット。
【請求項２２】
糖尿病患者にインスリンを供給するための組立品であって：
容器収納室と、駆動ピストンと、容器収納室開口部とを有するポンプであって、前記容器収納室開口部はシール手段を有する、ポンプと；
流体容器とを備え；
前記流体容器は、一部品の胴の組立品を備え、該一部品の胴の組立品は胴直径を有し、第１開口端部と第２端部と前記胴部の第２端部と一体化される雄ルアー継手とを含み、該雄ルアー継手は切除された端部に開口部を有し、前記一部品の胴の組立品は前記胴部と一体化されるネック部を含み、該ネック部は前記容器収納室開口部のねじと螺合する寸法のねじを含み、前記一部品の胴の組立品は流体シールして前記ポンプハウジングの容器収納室開口部に隣接して置かれる寸法の円筒形シール面を含み、該円筒形シール面は前記ネック部と一体化される；
組立品。
【手続補正２】
【補正対象書類名】明細書
【補正対象項目名】００２２
【補正方法】変更
【補正の内容】
【００２２】
図８は、出願人による流体容器の組立品を針の組立品１００と接続して用いるところを図示し、針の組立品１００は針１０２と流体シールして接続している。針１０２は、小さなオリフィスがある切除された端部を有し、中が空洞である。針の組立品１００は、典型的には雌ルアー継手を含み、雌ルアー継手は、容器１０の胴部の雄ルアー継手２０に流体シールしてぴったりと受け入れられるように設計されサイズ決めされる。
【手続補正３】
【補正対象書類名】明細書
【補正対象項目名】００２５
【補正方法】変更
【補正の内容】
【００２５】
図１０は、ユーザのベルトＢで所定位置に保持されたポンプＰを示す。図１０は、接続された流体導管１１２を有する薬剤注入セットの組立品１１０を示す。流体導管１１２の手前側の端部は雌ルアー継手１１４で、出願人による流体容器１０にぴったりと接続する。雌ルアー継手１１４は、その基部にねじ１１４Ａを有し、流体容器１０のルアーねじ２６と螺合する。流体容器１０からの流体は、駆動ピストンＤＰが徐々に前進すると、雄ルアー継手および雌ルアー継手および導管１１２を通って薬剤注入セット１１６へと押出され、業界で既知の方法で、ユーザの体内へ注入される。